(57)【要約】【課題】簡素な制御によって複数の照明制御ユニットを連動できる制御ユニットを提供する。【解決手段】制御ユニット２は、照明器具６を制御可能な複数の照明制御ユニット４に接続可能である。制御ユニット２は、第１通信部２０と、第１制御部２１とを備える。第１通信部２０には、複数の照明制御ユニット４が並列に接続される。第１制御部２１は、複数の照明制御ユニット４を制御する。第１通信部２０は、複数の照明制御ユニット４の各々から、照明制御ユニット４に対して設定された設定情報２１０を受信する。設定情報２１０は、照明器具６の状態である照明状態を示す。第１制御部２１は、第１通信部２０の受信した設定情報２１０に基づいて、複数の照明制御ユニット４が連動するように、第１通信部２０を介して複数の照明制御ユニット４を制御する。【選択図】図１
2019192528.tif 000002
【特許請求の範囲】
【請求項１】
照明器具を制御可能な複数の照明制御ユニットに接続可能な制御ユニットであって、
前記複数の照明制御ユニットが並列に接続される通信部と、
前記複数の照明制御ユニットを制御する制御部と
を備え、
前記通信部は、前記複数の照明制御ユニットの各々から、前記照明制御ユニットに対して設定された設定情報を受信し、
前記設定情報は、照明器具の状態である照明状態を示し、
前記制御部は、前記通信部の受信した前記設定情報に基づいて、前記複数の照明制御ユニットが連動するように、前記通信部を介して前記複数の照明制御ユニットを制御する、制御ユニット。
【請求項２】
前記複数の照明制御ユニットのうちのいずれかの照明制御ユニットの前記設定情報が変更されたことに応じて、前記制御部は、変更後の前記設定情報に基づく照明制御信号を他の前記照明制御ユニットに対して送信するように、前記通信部を制御し、
前記照明制御信号は、変更後の前記設定情報の示す前記照明状態と同じ状態になるように照明器具を制御することを示す、請求項１に記載の制御ユニット。
【請求項３】
外部機器から、指示信号を受信する受信部をさらに備え、
前記指示信号は、前記複数の照明制御ユニットを連動させるか否かを前記制御部に指示することを示す、請求項１または請求項２に記載の制御ユニット。
【請求項４】
外部機器から、照明器具の制御情報を示す第１制御信号を受信する受信部をさらに備え、
前記制御部は、前記第１制御信号を前記照明制御ユニットが認識可能な第２制御信号に変換する、請求項１から請求項３のいずれか１項に記載の制御ユニット。
【請求項５】
各々が照明器具を制御可能な複数の照明制御ユニットと、
前記複数の照明制御ユニットに接続可能な制御ユニットと
を備え、
前記制御ユニットは、
前記複数の照明制御ユニットが並列に接続される通信部と、
前記複数の照明制御ユニットを制御する制御部と
を含み、
前記通信部は、前記複数の照明制御ユニットの各々から、前記照明制御ユニットに対して設定された設定情報を受信し、
前記設定情報は、照明器具の状態である照明状態を示し、
前記制御部は、前記通信部の受信した前記設定情報に基づいて、前記複数の照明制御ユニットが連動するように、前記通信部を介して前記複数の照明制御ユニットを制御する、照明制御装置。
【請求項６】
前記複数の照明制御ユニットの各々が有する機能のうち、前記複数の照明制御ユニットが共通して有する機能が連動する、請求項５に記載の照明制御装置。
【請求項７】
前記複数の照明制御ユニットのうち少なくとも２つの照明制御ユニットは、照明器具の光量と光色とのうちの少なくとも１つを制御することが可能であり、
前記設定情報の示す前記照明状態は、照明器具の光量と光色とのうちの少なくとも１つを示し、
前記少なくとも２つの照明制御ユニットのうちのいずれかの照明制御ユニットの前記設定情報が変更されたことに応じて、前記制御部は、変更後の前記設定情報に基づく照明制御信号を、前記少なくとも２つの照明制御ユニットのうちの他の照明制御ユニットに対して送信するように、前記通信部を制御し、
前記照明制御信号は、変更後の前記設定情報の示す前記照明状態と同じ状態になるように照明器具を制御することを示す、請求項５または請求項６に記載の照明制御装置。
【請求項８】
前記複数の照明制御ユニットは、照明器具が接続されていない非接続の照明制御ユニットを含み、
前記通信部は、前記非接続の照明制御ユニットから、前記非接続の照明制御ユニットに対して設定された前記設定情報を受信し、
前記制御部は、前記通信部の受信した前記設定情報に基づいて、前記複数の照明制御ユニットが連動するように、前記複数の照明制御ユニットを制御する、請求項５から請求項７のいずれか１項に記載の照明制御装置。
【請求項９】
少なくとも１つの照明器具と、
各々が照明器具を制御可能な複数の照明制御ユニットと、
前記複数の照明制御ユニットに接続可能な制御ユニットと
を備え、
前記複数の照明制御ユニットのうちの少なくとも１つの照明制御ユニットには、前記少なくとも１つの照明器具が接続され、
前記制御ユニットは、
前記複数の照明制御ユニットが並列に接続される通信部と、
前記複数の照明制御ユニットを制御する制御部と
を含み、
前記通信部は、前記複数の照明制御ユニットの各々から、前記照明制御ユニットに対して設定された設定情報を受信し、
前記設定情報は、照明器具の状態である照明状態を示し、
前記制御部は、前記通信部の受信した前記設定情報に基づいて、前記複数の照明制御ユニットが連動するように、前記通信部を介して前記複数の照明制御ユニットを制御する、照明システム。
【発明の詳細な説明】
【技術分野】
【０００１】
本発明は、制御ユニット、照明制御装置、および照明システムに関する。
【背景技術】
【０００２】
特許文献１に記載された調光システムは、複数の調光装置と、複数の連動選択器とを備える。複数の調光装置は直列に接続される。そして、調光装置と調光装置との間に１つの連動選択器が配置される。各連動選択器は、シーン再生信号を中継して、複数の調光装置を連動させる。
【先行技術文献】
【特許文献】
【０００３】
【特許文献１】特開２００５−１７４８８１号公報
【発明の概要】
【発明が解決しようとする課題】
【０００４】
しかしながら、特許文献１に記載された調光システムでは、複数の調光装置（複数の照明制御ユニット）が直列に接続されているため、連動時における各連動選択器および各調光装置の動作が複雑である。
【０００５】
本発明は、上記問題に鑑みてなされたものであり、その目的は、簡素な制御によって複数の照明制御ユニットを連動できる制御ユニット、照明制御装置、および照明システムを提供することにある。
【課題を解決するための手段】
【０００６】
本願に開示する制御ユニットは、照明器具を制御可能な複数の照明制御ユニットに接続可能である。制御ユニットは、通信部と、制御部とを備える。通信部には、前記複数の照明制御ユニットが並列に接続される。制御部は、前記複数の照明制御ユニットを制御する。前記通信部は、前記複数の照明制御ユニットの各々から、前記照明制御ユニットに対して設定された設定情報を受信する。前記設定情報は、照明器具の状態である照明状態を示す。前記制御部は、前記通信部の受信した前記設定情報に基づいて、前記複数の照明制御ユニットが連動するように、前記通信部を介して前記複数の照明制御ユニットを制御する。
【０００７】
本願に開示する制御ユニットにおいて、前記複数の照明制御ユニットのうちのいずれかの照明制御ユニットの前記設定情報が変更されたことに応じて、前記制御部は、変更後の前記設定情報に基づく照明制御信号を他の前記照明制御ユニットに対して送信するように、前記通信部を制御することが好ましい。前記照明制御信号は、変更後の前記設定情報の示す前記照明状態と同じ状態になるように照明器具を制御することを示すことが好ましい。
【０００８】
本願に開示する制御ユニットは、受信部をさらに備えることが好ましい。受信部は、外部機器から、指示信号を受信することが好ましい。前記指示信号は、前記複数の照明制御ユニットを連動させるか否かを前記制御部に指示することを示すことが好ましい。
【０００９】
本願に開示する制御ユニットは、受信部をさらに備えることが好ましい。受信部は、外部機器から、照明器具の制御情報を示す第１制御信号を受信することが好ましい。前記制御部は、前記第１制御信号を前記照明制御ユニットが認識可能な第２制御信号に変換することが好ましい。
【００１０】
本願に開示する照明制御装置は、照明制御ユニットと、制御ユニットとを備える。照明制御ユニットの各々は、照明器具を制御可能である。制御ユニットは、前記複数の照明制御ユニットに接続可能である。前記制御ユニットは、通信部と、制御部とを含む。通信部には、前記複数の照明制御ユニットが並列に接続される。制御部は、前記複数の照明制御ユニットを制御する。前記通信部は、前記複数の照明制御ユニットの各々から、前記照明制御ユニットに対して設定された設定情報を受信する。前記設定情報は、照明器具の状態である照明状態を示す。前記制御部は、前記通信部の受信した前記設定情報に基づいて、前記複数の照明制御ユニットが連動するように、前記通信部を介して前記複数の照明制御ユニットを制御する。
【００１１】
本願に開示する照明制御装置において、前記複数の照明制御ユニットの各々が有する機能のうち、前記複数の照明制御ユニットが共通して有する機能が連動することが好ましい。
【００１２】
本願に開示する照明制御装置において、前記複数の照明制御ユニットのうち少なくとも２つの照明制御ユニットは、照明器具の光量と光色とのうちの少なくとも１つを制御することが可能であることが好ましい。前記設定情報の示す前記照明状態は、照明器具の光量と光色とのうちの少なくとも１つを示すことが好ましい。前記少なくとも２つの照明制御ユニットのうちのいずれかの照明制御ユニットの前記設定情報が変更されたことに応じて、前記制御部は、変更後の前記設定情報に基づく照明制御信号を、前記少なくとも２つの照明制御ユニットのうちの他の照明制御ユニットに対して送信するように、前記通信部を制御することが好ましい。前記照明制御信号は、変更後の前記設定情報の示す前記照明状態と同じ状態になるように照明器具を制御することを示すことが好ましい。
【００１３】
本願に開示する照明制御装置において、前記複数の照明制御ユニットは、照明器具が接続されていない非接続の照明制御ユニットを含むことが好ましい。前記通信部は、前記非接続の照明制御ユニットから、前記非接続の照明制御ユニットに対して設定された前記設定情報を受信することが好ましい。前記制御部は、前記通信部の受信した前記設定情報に基づいて、前記複数の照明制御ユニットが連動するように、前記複数の照明制御ユニットを制御することが好ましい。
【００１４】
本願に開示する照明システムは、少なくとも１つの照明器具と、各々が照明器具を制御可能な複数の照明制御ユニットと、前記複数の照明制御ユニットに接続可能な制御ユニットとを備える。前記複数の照明制御ユニットのうちの少なくとも１つの照明制御ユニットには、前記少なくとも１つの照明器具が接続される。前記制御ユニットは、通信部と、制御部とを含む。通信部には、前記複数の照明制御ユニットが並列に接続される。制御部は、前記複数の照明制御ユニットを制御する。前記通信部は、前記複数の照明制御ユニットの各々から、前記照明制御ユニットに対して設定された設定情報を受信する。前記設定情報は、照明器具の状態である照明状態を示す。前記制御部は、前記通信部の受信した前記設定情報に基づいて、前記複数の照明制御ユニットが連動するように、前記通信部を介して前記複数の照明制御ユニットを制御する。
【発明の効果】
【００１５】
本発明によれば、簡素な制御によって複数の照明制御ユニットを連動できる。
【図面の簡単な説明】
【００１６】
【図１】本発明の実施形態に係る照明システムを示す図である。
【図２】本実施形態に係る照明システムの照明制御ユニットに対して設定される設定情報の内容を示す模式図である。
【図３】本実施形態に係る照明システムの照明制御ユニットに送信される照明制御信号の内容を示す模式図である。
【図４】本実施形態に係る照明システムの制御ユニットに送信される指示信号の内容を示す模式図である。
【図５】本実施形態に係る照明システムの制御ユニットの処理を示すフローチャートである。
【発明を実施するための形態】
【００１７】
以下、本発明の実施形態について、図面を参照しながら説明する。なお、図中、同一または相当部分については同一の参照符号を付して説明を繰り返さない。
【００１８】
図１を参照して、本発明の実施形態に係る照明システム１００を説明する。図１は、実施形態に係る照明システム１００を示す図である。図１に示すように、照明システム１００は、照明制御装置５０と、少なくとも１つの照明器具６とを備える。本実施形態では、照明システム１００は複数の照明器具６を備える。照明制御装置５０は複数の照明器具６を制御する。具体的には、照明制御装置５０は、制御ユニット２と、複数の照明制御ユニット４とを含む。
【００１９】
制御ユニット２は、複数の照明制御ユニット４に接続可能である。従って、制御ユニット２は、複数の照明制御ユニット４に接続されて、複数の照明制御ユニット４を制御する。
【００２０】
複数の照明制御ユニット４の各々は照明器具６を制御可能である。複数の照明制御ユニット４のうちの少なくとも１つの照明制御ユニット４には、少なくとも１つの照明器具６が接続される。
【００２１】
具体的には、複数の照明制御ユニット４のうちの１以上の照明制御ユニット４の各々には、単数または複数の照明器具６が接続される。そして、照明制御ユニット４は、制御ユニット２の制御の下、照明制御ユニット４に接続された単数又は複数の照明器具６を制御する。
【００２２】
また、複数の照明制御ユニット４のうちの他の１以上の照明制御ユニット４の各々には、照明器具６が接続されていない。つまり、複数の照明制御ユニット４は、照明器具６の接続されていない非接続の照明制御ユニット４を含む。なお、全部の照明制御ユニット４の各々に、単数又は複数の照明器具６が接続されていてもよい。
【００２３】
さらに、複数の照明制御ユニット４の各々には、電源線が個別に接続され、個別に電源電圧が供給される。複数の照明制御ユニット４の各々は、例えば、ユーザーによって操作されるライトコントローラーである。
【００２４】
照明器具６の各々は、照明器具６が接続された照明制御ユニット４の制御の下、光を出射する。照明器具６の各々は光源を含む。光源は、例えば、単数又は複数の発光ダイオード（Ｌｉｇｈｔ  Ｅｍｉｔｔｉｎｇ  Ｄｉｏｄｅ：ＬＥＤ）を含む。
【００２５】
引き続き図１を参照して、制御ユニット２および照明制御ユニット４を詳細に説明する。制御ユニット２は、第１通信部２０と、第１制御部２１と、第１記憶部２２と、送受信部２３とを含む。第１通信部２０は「通信部」の一例に相当する。第１制御部２１は「制御部」の一例に相当する。送受信部２３は「受信部」の一例に相当する。
【００２６】
第１通信部２０には、複数の照明制御ユニット４が並列に接続される。そして、第１通信部２０は、複数の照明制御ユニット４の各々と通信する。本実施形態では、第１通信部２０は、通信機であり、複数の照明制御ユニット４の各々とシリアル通信する。第１通信部２０は、複数の照明制御ユニット４の各々から、照明制御ユニット４に対して設定された設定情報（以下、「設定情報２１０」と記載する。）を受信する。
【００２７】
具体的には、第１通信部２０は、照明器具６が接続された照明制御ユニット４から、照明制御ユニット４に対して設定された設定情報２１０を受信する。また、第１通信部２０は、照明器具６が接続されていない非接続の照明制御ユニット４から、非接続の照明制御ユニット４に対して設定された設定情報２１０を受信する。設定情報２１０は、照明器具６の状態である照明状態を示す。
【００２８】
図２は、設定情報２１０の内容を示す模式図である。図２に示すように、設定情報２１０は、少なくとも、操作種別データ２１１と、照明状態データ２１２とを含む。操作種別データ２１１は、照明制御ユニット４が操作されたときの操作種別を示す。操作種別は、「オンオフ操作」、「調光操作」、または、「調色操作」である。「オンオフ操作」は、照明器具６の点灯状態と消灯状態とを切り替える操作である。「調光操作」は、照明器具６の光量を変更する操作である。「調色操作」は、照明器具６の光色を変更する操作である。
【００２９】
照明状態データ２１２は、照明器具６の照明状態を示す。照明状態データ２１２の内容は操作種別データ２１１の示す操作種別に応じて異なる。
【００３０】
具体的には、操作種別データ２１１が「オンオフ操作」を示す場合は、照明状態データ２１２の示す照明状態は、点灯状態および消灯状態のいずれかを示す。
【００３１】
操作種別データ２１１が「調光操作」を示す場合は、照明状態データ２１２の示す照明状態は、照明器具６の光量を示す。照明状態データ２１２は、照明器具６の光量を、直接示してもよいし、間接的に示してもよい。本実施形態では、照明状態データ２１２は、照明器具６の光量を間接的に示す。例えば、光量は、０％〜１００％の間の数値で示される。なお、例えば、照明状態データ２１２は、光量を光束値または照度値で示してもよい。
【００３２】
操作種別データ２１１が「調色操作」を示す場合は、照明状態データ２１２の示す照明状態は、照明器具６の光色を示す。照明状態データ２１２は、照明器具６の光色を、直接示してもよいし、間接的に示してもよい。本実施形態では、照明状態データ２１２は、照明器具６の光色を間接的に示す。例えば、光色は、暖色から寒色までの間の複数段階の数値で示される。なお、例えば、照明状態データ２１２は、光色を色温度値で示してもよい。
【００３３】
再び図１を参照して制御ユニット２の第１制御部２１を説明する。第１制御部２１は、第１通信部２０を介して複数の照明制御ユニット４を制御する。具体的には、第１制御部２１は、複数の照明制御ユニット４の各々を個別に制御するか、または、複数の照明制御ユニット４が連動するように複数の照明制御ユニット４を制御する。
【００３４】
まず、複数の照明制御ユニット４を連動させる制御を説明する。第１制御部２１は、第１通信部２０の受信した設定情報２１０に基づいて、複数の照明制御ユニット４が連動するように、第１通信部２０を介して複数の照明制御ユニット４を制御する。従って、本実施形態によれば、簡素な制御によって複数の照明制御ユニット４を連動できる。
【００３５】
すなわち、本実施形態では、複数の照明制御ユニット４が第１通信部２０に並列に接続されている。従って、制御ユニット２は、複数の照明制御ユニット４の各々から設定情報２１０を直接取得できるとともに、複数の照明制御ユニット４を直接制御できる。その結果、簡素な制御によって複数の照明制御ユニット４を連動できる。
【００３６】
具体的には、複数の照明制御ユニット４のうちのいずれかの照明制御ユニット４の設定情報２１０が変更されたことに応じて、第１制御部２１は、変更後の設定情報２１０に基づく照明制御信号（以下、「照明制御信号２２０」と記載する。）を他の照明制御ユニット４に対して送信するように、第１通信部２０を制御する。従って、第１通信部２０は、照明制御信号２２０を他の照明制御ユニット４に送信する。
【００３７】
照明制御信号２２０は、変更後の設定情報２１０の示す照明状態と同じ状態になるように照明器具６を制御することを示す。従って、照明制御信号２２０を受信した照明制御ユニット４は、変更後の設定情報２１０の示す照明状態と同じ状態になるように照明器具６を制御する。つまり、本実施形態によれば、照明制御信号２２０を受信した照明制御ユニット４は、設定情報２１０の変更された照明制御ユニット４に連動する。その結果、照明制御信号２２０を受信した照明制御ユニット４に接続された照明器具６は、変更後の設定情報２１０の示す照明状態と同じ状態になる。
【００３８】
例えば、照明制御信号２２０を受信した照明制御ユニット４に接続された照明器具６は、設定情報２１０の変更された照明制御ユニット４に接続された照明器具６と同じ状態になる。
【００３９】
また、本実施形態では、第１通信部２０は、照明器具６が接続されていない非接続の照明制御ユニット４からも設定情報２１０を受信する。従って、ユーザーは、非接続の照明制御ユニット４を操作して、非接続の照明制御ユニット４に、照明器具６の接続された照明制御ユニット４を連動させることができる。その結果、設定情報２１０の変更された照明制御ユニット４に照明器具６が接続されていない場合でも、照明制御信号２２０を受信した照明制御ユニット４に接続された照明器具６は、変更後の設定情報２１０の示す照明状態と同じ状態になる。
【００４０】
例えば、建物の一階と二階とを連絡する階段の上方に照明器具６が設置されている場合を説明する。この場合、一階に設置された照明制御ユニット４が照明器具６に接続されておらず、二階に設置された照明制御ユニット４が照明器具６に接続されている。この場合、ユーザーは、一階の照明制御ユニット４を操作して設定情報２１０を変更することで、第１制御部２１は、一階の照明制御ユニット４に二階の照明制御ユニット４を連動させる。その結果、階段の上方に設置された照明器具６が、一階の照明制御ユニット４の変更後の設定情報２１０の示す照明状態と同じ状態になる。
【００４１】
次に、図３を参照して、照明制御信号２２０を説明する。図３は、照明制御信号２２０の内容を示す模式図である。図３に示すように、照明制御信号２２０は、少なくとも、コマンド２２１と、照明状態データ２２２とを含む。
【００４２】
コマンド２２１は、照明制御ユニット４に対する命令である。コマンド２２１は、「オンオフコマンド」、「調光コマンド」、または、「調色コマンド」である。「オンオフコマンド」は、照明器具６の点灯と消灯とを切り替えることを示す。「調光コマンド」は、照明器具６の光量を変更することを示す。「調色コマンド」は、照明器具６の光色を変更することを示す。
【００４３】
照明状態データ２２２は、照明器具６の照明状態を示す。照明状態データ２２２の内容は、コマンド２２１の種類に応じて異なる。
【００４４】
具体的には、コマンド２２１が「オンオフコマンド」を示す場合は、照明状態データ２２２の示す照明状態は、点灯状態および消灯状態のいずれかを示す。
【００４５】
コマンド２２１が「オンオフコマンド」を示し、照明状態データ２２２の示す照明状態が点灯状態を示す場合は、照明制御信号２２０は、照明器具６を消灯状態から点灯状態に切り替えることを示す。一方、コマンド２２１が「オンオフコマンド」を示し、照明状態データ２２２の示す照明状態が消灯状態を示す場合は、照明制御信号２２０は、照明器具６を点灯状態から消灯状態に切り替えることを示す。
【００４６】
コマンド２２１が「調光コマンド」を示す場合は、照明状態データ２２２の示す照明状態は、照明器具６の光量を示す。照明状態データ２２２は、照明状態データ２１２（図２）と同様に、照明器具６の光量を、直接示してもよいし、間接的に示してもよい。本実施形態では、照明状態データ２２２は、照明器具６の光量を間接的に示す。
【００４７】
コマンド２２１が「調光コマンド」を示す場合は、照明制御信号２２０は、照明器具６の光量を、照明状態データ２２２の示す光量に変更することを示す。
【００４８】
コマンド２２１が「調色コマンド」を示す場合は、照明状態データ２２２の示す照明状態は、照明器具６の光色を示す。照明状態データ２２２は、照明状態データ２１２（図２）と同様に、照明器具６の光色を、直接示してもよいし、間接的に示してもよい。本実施形態では、照明状態データ２２２は、照明器具６の光色を間接的に示す。
【００４９】
コマンド２２１が「調色コマンド」を示す場合は、照明制御信号２２０は、照明器具６の光色を、照明状態データ２２２の示す光色に変更することを示す。
【００５０】
再び図１を参照して制御ユニット２の第１記憶部２２および送受信部２３を説明する。第１記憶部２２は、コンピュータープログラムおよびデータを記憶する。第１記憶部２２は、記憶装置であり、半導体メモリーのような主記憶装置、および、ハードディスクドライブまたは半導体メモリーのような補助記憶装置を含む。一方、第１制御部２１は、ＣＰＵ（Ｃｅｎｔｒａｌ  Ｐｒｏｃｅｓｓｉｎｇ  Ｕｎｉｔ）のようなプロセッサーを含む。従って、第１制御部２１のプロセッサーは、第１記憶部２２の記憶装置に記憶されたコンピュータープログラムを実行して、各種制御を実行する。
【００５１】
送受信部２３は、通信機であり、ネットワークＮＷに接続される。ネットワークＮＷには、外部機器ＥＤが接続されている。従って、送受信部２３は、ネットワークＮＷを介して、外部機器ＥＤと通信する。
【００５２】
外部機器ＥＤは、例えば、通信端末またはシステム制御装置である。通信端末は、例えば、スマートフォン、タブレットコンピューター、ノートパソコン、または、デスクトップパソコンである。システム制御装置は照明システム１００を制御する。システム制御装置は、例えば、ＨＥＭＳ（Ｈｏｍｅ  Ｅｎｅｒｇｙ  Ｍａｎａｇｅｍｅｎｔ  Ｓｙｓｔｅｍ）コントローラーである。ネットワークＮＷは、例えば、インターネット、ＬＡＮ（Ｌｏｃａｌ  Ａｒｅａ  Ｎｅｔｗｏｒｋ）、及び公衆電話網を含む。
【００５３】
次に、図１および図４を参照して、制御ユニット２の第１制御部２１に対する連動設定を説明する。送受信部２３は、ネットワークＮＷを介して外部機器ＥＤから、指示信号（以下、「指示信号８」と記載する。）を受信する。指示信号８は、複数の照明制御ユニット４を連動させるか否かを第１制御部２１に指示することを示す。従って、本実施形態によれば、ユーザーは、外部機器ＥＤを操作して指示信号８を制御ユニット２に送信することによって、複数の照明制御ユニット４を連動させること、または、複数の照明制御ユニット４を連動させないことを、制御ユニット２に容易に設定できる。
【００５４】
図４は、指示信号８の内容を示す模式図である。図４に示すように、指示信号８は、コマンド８０と、連動データ８１と、グループデータ８２とを含む。
【００５５】
コマンド２２１は、制御ユニット２に対する「連動コマンド」を示す。「連動コマンド」は、２以上の照明制御ユニット４を連動させるか否かを設定することを示す。
【００５６】
連動データ８１は、連動有効データまたは連動無効データを含む。連動有効データは、２以上の照明制御ユニット４を連動させることを示すデータである。連動無効データは、２以上の照明制御ユニット４を連動させないことを示すデータである。
【００５７】
グループデータ８２は、複数の照明制御ユニット４のうち、互いに連動させる２以上の照明制御ユニット４を特定するデータを含む。具体的には、複数の照明制御ユニット４には、互いに異なるアドレスが個別に割り当てられている。そこで、グループデータ８２は、複数の照明制御ユニット４のうち、互いに連動させる２以上の照明制御ユニット４に割り当てられたアドレスを含む。
【００５８】
図１に示す制御ユニット２の第１制御部２１は、送受信部２３が指示信号８を受信すると、指示信号８（コマンド８０、連動データ８１、およびグループデータ８２）を記憶するように、第１記憶部２２を制御する。その結果、第１記憶部２２は指示信号８を記憶する。
【００５９】
そして、第１制御部２１は、指示信号８に基づいて、複数の照明制御ユニット４を制御する。具体的には、指示信号８の連動データ８１が連動有効データを含む場合には、第１制御部２１は、グループデータ８２が特定する２以上の照明制御ユニット４を連動させる。つまり、指示信号８の連動データ８１が連動有効データを含む場合には、第１制御部２１は、グループデータ８２が特定する２以上の照明制御ユニット４に向けて照明制御信号２２０を送信するように、第１通信部２０を制御する。
【００６０】
一方、指示信号８の連動データ８１が連動無効データを含む場合には、第１制御部２１は、グループデータ８２が特定する２以上の照明制御ユニット４を連動させない。
【００６１】
次に、図１を参照して、複数の照明制御ユニット４の各々の個別の制御を説明する。外部機器ＥＤは、照明器具６の制御情報を示す第１制御信号を生成する。
【００６２】
具体的には、第１制御信号は、少なくとも、コマンド（以下、「コマンドＣＭ１」と記載する。）と、照明状態データ（以下、「照明状態データＳＴ１」と記載する。）とを含む。コマンドＣＭ１の内容は、照明制御信号２２０のコマンド２２１（図３）の内容と同様である。従って、コマンドＣＭ１は、コマンド２２１と同様に、「オンオフコマンド」、「調光コマンド」、または、「調色コマンド」である。
【００６３】
照明状態データＳＴ１の内容は、照明制御信号２２０の照明状態データ２２２（図３）の内容と同様である。従って、照明状態データＳＴ１は、照明状態データ２２２と同様に、照明器具６の照明状態を示す。そして、照明状態データＳＴ１の内容は、照明状態データ２２２と同様に、コマンドＣＭの種類に応じて異なる。
【００６４】
すなわち、コマンドＣＭ１が「オンオフコマンド」を示す場合は、照明状態データＳＴ１の示す照明状態は、点灯状態および消灯状態のいずれかを示す。コマンドＣＭ１が「調光コマンド」を示す場合は、照明状態データＳＴ１の示す照明状態は、照明器具６の光量を示す。コマンドＣＭ１が「調色コマンド」を示す場合は、照明状態データＳＴ１の示す照明状態は、照明器具６の光色を示す。
【００６５】
また、第１制御信号は、第１通信プロトコルに準拠した信号形式を有する。外部機器ＥＤと制御ユニット２の送受信部２３とは、第１通信プロトコルに準拠した通信を実行するからである。第１通信プロトコルは、例えば、通信規格であるＥＣＨＯＮＥＴ  Ｌｉｔｅ（登録商標）に準拠している。なお、指示信号８（図４）は、第１通信プロトコルに準拠した信号形式を有する。
【００６６】
送受信部２３は、外部機器ＥＤから第１制御信号を受信する。そして、第１制御部２１は、第１制御信号を照明制御ユニット４が認識可能な第２制御信号に変換する。第２制御信号は照明器具６の制御情報を含む。そして、第１通信部２０は、第２制御信号を照明制御ユニット４に送信する。従って、本実施形態によれば、複数の照明器具ごとに制御ユニットを設けることなく、複数の照明器具６を制御できる。その結果、コストを減少できる。
【００６７】
具体的には、第１制御部２１は、第１制御信号を、第２通信プロトコルに準拠した信号形式を有する第２制御信号に変換する。制御ユニット２と照明制御ユニット４の各々とは、第２通信プロトコルに準拠した通信を実行するからである。第２通信プロトコルは、例えば、シリアル通信に対する通信規格に準拠している。なお、設定情報２１０（図２）および照明制御信号２２０（図３）は、第２通信プロトコルに準拠した信号形式を有する。
【００６８】
また、第２制御信号は、少なくとも、コマンド（以下、「コマンドＣＭ２」と記載する。）と、照明状態データ（以下、「照明状態データＳＴ２」と記載する。）とを含む。コマンドＣＭ２の内容は、照明制御信号２２０のコマンド２２１（図３）の内容と同様である。照明状態データＳＴ１の内容は、照明制御信号２２０の照明状態データ２２２（図３）の内容と同様である。すなわち、第２制御信号の内容は、照明制御信号２２０の内容と同様である。
【００６９】
そして、照明制御ユニット４の第２通信部４０が、制御ユニット２から第２制御信号を受信すると、第２制御部４１は、第２制御信号に従って照明器具６を制御する。
【００７０】
引き続き図１を参照して照明制御ユニット４を説明する。複数の照明制御ユニット４のうちの少なくとも２つの照明制御ユニット４Ａは、照明器具６の光量と光色とのうちの少なくとも１つを制御することが可能である。本実施形態では、照明制御ユニット４Ａは、照明器具６の光量と光色とを制御することが可能である。また、照明制御ユニット４Ａは、照明器具６の点灯状態と消灯状態とを切り替えることが可能である。
【００７１】
照明制御ユニット４Ａは、第２通信部４０と、第２制御部４１と、操作部４２Ａと、第２記憶部４３とを含む。第２通信部４０は、通信機であり、第１通信部２０に接続される。そして、第２通信部４０は、第１通信部２０から照明制御信号２２０または第２制御信号を受信する。第２制御部４１は、第２通信部４０が受信した照明制御信号２２０または第２制御信号に従って、照明器具６を制御する。
【００７２】
操作部４２Ａは、ユーザーインターフェースであり、例えば、スライダー、ダイヤル、ボタン、およびタッチパネルのうちの１以上を含む。ユーザーは、操作部４２Ａを操作することによって、照明器具６を制御することができる。具体的には、ユーザーは、操作部４２Ａを操作することによって、照明器具６から発生する光の光量および光色の変更を指示することができる。また、ユーザーは、操作部４２Ａを操作することによって、照明器具６の状態を点灯状態と消灯状態との間で切り替えることができる。
【００７３】
すなわち、操作部４２Ａは、ユーザーの操作に応じて、操作情報を第２制御部４１に出力する。操作情報は、操作部４２Ａの操作種別および照明器具６の照明状態を示している。
【００７４】
そして、第２制御部４１は、操作部４２Ａの操作情報が光量を変更することを示している場合は、操作情報の示す光量になるように、照明器具６の光量を制御する。第２制御部４１は、操作部４２Ａの操作情報が光色を変更することを示している場合は、操作情報の示す光色になるように、照明器具６の光色を制御する。
【００７５】
第２制御部４１は、操作部４２Ａの操作情報が照明器具６を消灯状態から点灯状態へ切り替えることを示している場合は、照明器具６が消灯状態から点灯状態になるように、照明器具６を制御する。第２制御部４１は、操作部４２Ａの操作情報が照明器具６を点灯状態から消灯状態へ切り替えることを示している場合は、照明器具６が点灯状態から消灯状態になるように、照明器具６を制御する。
【００７６】
第２記憶部４３は、コンピュータープログラムおよびデータを記憶する。第２記憶部４３は、記憶装置であり、半導体メモリーのような主記憶装置、および、半導体メモリーのような補助記憶装置を含む。一方、第２制御部４１は、ＣＰＵのようなプロセッサーを含む。従って、第２制御部４１のプロセッサーは、第２記憶部４３の記憶装置に記憶されたコンピュータープログラムを実行して、各種制御を実行する。
【００７７】
また、第２制御部４１は、操作部４２Ａが操作されたことに応じて、第２記憶部４３に記憶された設定情報２１０を、操作部４２Ａの操作情報の示す操作種別および照明状態に応じて更新する。つまり、第２制御部４１は、操作部４２Ａの操作に応じて設定情報２１０を変更する。さらに、第２制御部４１は、操作部４２Ａが操作されたことに応じて、更新された設定情報２１０を、制御ユニット２の第１通信部２０に向けて送信するように、第２通信部４０を制御する。その結果、第２通信部４０は、更新された設定情報２１０を第１通信部２０に送信する。更新された設定情報２１０は、「変更後の設定情報２１０」である。
【００７８】
制御ユニット２の第１制御部２１は、第１通信部２０の受信した設定情報２１０を記憶するように、第１記憶部２２を制御する。その結果、第１記憶部２２は、更新された設定情報２１０を記憶する。また、第１制御部２１は、更新された設定情報２１０に基づいて、複数の照明制御ユニット４を連動させる。
【００７９】
複数の照明制御ユニット４のうちの照明制御ユニット４Ｂは、照明器具６の点灯状態と消灯状態とを切り替えることが可能である。照明制御ユニット４Ｂは、照明器具６の光量および光色を制御する機能を有していない。
【００８０】
照明制御ユニット４Ｂは、第２通信部４０と、第２制御部４１と、スイッチ４２Ｂと、第２記憶部４３とを含む。以下、照明制御ユニット４Ｂの説明において、照明制御ユニット４Ａと共通する事項の説明は省略する。
【００８１】
第２制御部４１は、第２通信部４０が受信した照明制御信号２２０または第２制御信号に従って、照明器具６を制御する。照明制御信号２２０または第２制御信号が「調光コマンド」または「調色コマンド」を含む場合は、第２制御部４１は、照明制御信号２２０および第２制御信号を破棄し、照明制御信号２２０および第２制御信号に基づく制御を実行しない。
【００８２】
スイッチ４２Ｂは、外部からの力を受けて、照明器具６に対する電力の供給と遮断とを機械的に切り替える。ユーザーは、スイッチ４２Ｂを操作することによって、照明器具６の状態を点灯状態と消灯状態との間で切り替えることができる。
【００８３】
すなわち、スイッチ４２Ｂは、ユーザーの操作に応じて、操作情報を第２制御部４１に出力する。操作情報は、スイッチ４２Ｂの操作種別および照明器具６の照明状態を示している。
【００８４】
そして、第２制御部４１は、スイッチ４２Ｂの操作情報が照明器具６を消灯状態から点灯状態へ切り替えることを示している場合は、照明器具６が消灯状態から点灯状態になるように、照明器具６を制御する。第２制御部４１は、スイッチ４２Ｂの操作情報が照明器具６を点灯状態から消灯状態へ切り替えることを示している場合は、照明器具６が点灯状態から消灯状態になるように、照明器具６を制御する。
【００８５】
また、第２制御部４１は、スイッチ４２Ｂが操作されたことに応じて、第２記憶部４３に記憶された設定情報２１０を、スイッチ４２Ｂの操作情報の示す操作種別および照明状態に応じて更新する。つまり、第２制御部４１は、スイッチ４２Ｂの操作に応じて設定情報２１０を変更する。さらに、第２制御部４１は、スイッチ４２Ｂが操作されたことに応じて、更新された設定情報２１０を、制御ユニット２の第１通信部２０に向けて送信するように、第２通信部４０を制御する。その結果、第２通信部４０は、更新された設定情報２１０を第１通信部２０に送信する。更新された設定情報２１０は、「変更後の設定情報２１０」である。
【００８６】
制御ユニット２の第１制御部２１は、第１通信部２０の受信した設定情報２１０を記憶するように、第１記憶部２２を制御する。その結果、第１記憶部２２は、更新された設定情報２１０を記憶する。また、第１制御部２１は、更新された設定情報２１０に基づいて、複数の照明制御ユニット４を連動させる。
【００８７】
以上、図１を参照して説明したように、操作部４２Ａが操作されて照明制御ユニット４Ａの設定情報２１０が変更されると、照明制御ユニット４Ａから変更後の設定情報２１０が制御ユニット２に送信される。また、スイッチ４２Ｂが操作されて照明制御ユニット４Ｂの設定情報２１０が変更されると、照明制御ユニット４Ｂから変更後の設定情報２１０が制御ユニット２に送信される。
【００８８】
従って、本実施形態によれば、制御ユニット２は、照明制御ユニット４Ａの設定情報２１０が変更された場合でも、照明制御ユニット４Ｂの設定情報２１０が変更された場合でも、設定情報２１０の変更された照明制御ユニット４に、他の照明制御ユニット４を連動させることができる。
【００８９】
具体的には、制御ユニット２は、調光機能および調色機能を有する照明制御ユニット４Ａ同士を連動させることができる。調光機能は、照明器具６の光量を制御可能な機能を示す。調色機能は、照明器具６の光色を制御可能な機能を示す。また、制御ユニット２は、オンオフ機能だけを有する照明制御ユニット４Ｂ同士を連動させることができる。オンオフ機能は、照明器具６の消灯状態と点灯状態とを切り替える機能を示す。さらに、制御ユニット２は、調光機能および調色機能を有する照明制御ユニット４Ａとオンオフ機能だけを有する照明制御ユニット４Ｂとを連動させることができる。
【００９０】
その他、調光機能および調色機能を有する照明制御ユニット４Ａ、オンオフ機能だけを有する照明制御ユニット４Ｂ、調光機能だけを有する照明制御ユニット４、および、調色機能だけを有する照明制御ユニット４のうち、２以上の照明制御ユニット４の組み合わせを連動させることができる。
【００９１】
特に、調光機能および調色機能を有する照明制御ユニット４Ａ、調光機能だけを有する照明制御ユニット４、および、調色機能だけを有する照明制御ユニット４のうち、２以上の照明制御ユニット４の組み合わせを連動させることができる理由の１つは、複数の照明制御ユニット４が制御ユニット２の第１通信部２０に並列に接続され、かつ、複数の照明制御ユニット４の各々に電源線が個別に接続されているからである。
【００９２】
本実施形態では、例えば、複数の照明制御ユニット４のうち少なくとも２つの照明制御ユニット４（以下、「照明制御ユニット４Ｃ」と記載する。）は、照明器具６の光量と光色とのうちの少なくとも１つを制御することが可能である。そして、設定情報２１０の示す照明状態は、照明器具６の光量と光色とのうちの少なくとも１つを示す。さらに、少なくとも２つの照明制御ユニット４Ｃのうちのいずれかの照明制御ユニット４Ｃの設定情報２１０が変更されたことに応じて、第１制御部２１は、変更後の設定情報２１０に基づく照明制御信号２２０を、少なくとも２つの照明制御ユニット４Ｃのうちの他の照明制御ユニット４Ｃに対して送信するように、第１通信部２０を制御する。
【００９３】
そして、照明制御信号２２０を受信した照明制御ユニット４Ｃは、変更後の設定情報２１０の示す照明状態と同じ状態になるように照明器具６を制御する。その結果、照明器具６の光量と光色とのうちの少なくとも１つを制御することが可能な照明制御ユニット４Ｃ同士を連動できる。
【００９４】
また、本実施形態では、制御ユニット２の制御によって、複数の照明制御ユニット４の各々が有する機能のうち、複数の照明制御ユニット４が共通して有する機能が連動する。従って、ユーザーは、操作部４２Ａまたはスイッチ４２Ｂを操作することで、複数の照明制御ユニット４が共通して有する機能を連動させることができる。機能は、調光機能、調色機能、または、オンオフ機能を示す。
【００９５】
例えば、変更後の設定情報２１０の操作種別データ２１１（図２）が「調光操作」または「調色操作」を示している場合は、複数の照明制御ユニット４のうち、調光機能または調色機能を有する２以上の照明制御ユニット４Ａが、照明制御信号２２０に従って連動する。一方、オンオフ機能だけを有する照明制御ユニット４Ｂは連動しない。
【００９６】
例えば、変更後の設定情報２１０の操作種別データ２１１（図２）が「オンオフ操作」を示している場合は、オンオフ機能を有する全ての照明制御ユニット４Ａおよび照明制御ユニット４Ｂが連動する。
【００９７】
なお、照明システム１００において、複数の第２通信部４０は、第１通信部２０に並列に接続されている。そして、第１通信部２０と複数の第２通信部４０の各々とはシリアル通信する。従って、第１通信部２０と複数の第２通信部４０の各々とは、第１信号線および第２信号線によって接続される。例えば、第１信号線は、第１通信部２０から第２通信部４０へ信号を送信し、第２信号線は、第２通信部４０から第１通信部２０へ信号を送信する。例えば、第１信号線および第２信号線は、第１通信部２０から第２通信部４０へ差動信号を送信し、または、第２通信部４０から第１通信部２０へ差動信号を送信する。
【００９８】
また、制御ユニット２は、複数の照明制御ユニット４のうちの１つの照明制御ユニット４に搭載されていてもよい。さらに、照明制御装置５０は２以上の制御ユニット２を含んでいてもよい。この場合は、２以上の制御ユニット２が、それぞれ、２以上の照明制御ユニット４に搭載されていてもよい。
【００９９】
次に、図１〜図５を参照して、制御ユニット２の処理を説明する。図５は、制御ユニット２の処理を示すフローチャートである。図５に示すように、制御ユニット２の処理は、ステップＳ１〜ステップＳ９を含む。
【０１００】
図１および図５に示すように、ステップＳ１において、制御ユニット２の第１制御部２１は、複数の照明制御ユニット４のうちのいずれかの照明制御ユニット４から第１通信部２０が設定情報２１０を受信したか否かを判定する。
【０１０１】
ステップＳ１で設定情報２１０を受信していないと判定された場合は、処理はステップＳ１に留まる。
【０１０２】
一方、ステップＳ１で設定情報２１０を受信したと判定された場合は、処理はステップＳ３に進む。
【０１０３】
ステップＳ３において、第１制御部２１は、設定情報２１０が変更されたか否かを判定する。
【０１０４】
ステップＳ３で設定情報２１０が変更されていないと判定された場合は、処理はステップＳ１に戻る。
【０１０５】
一方、ステップＳ３で設定情報２１０が変更されたと判定された場合は、処理はステップＳ５に進む。
【０１０６】
具体的には、第１制御部２１は、ステップＳ１で設定情報２１０を受信したと判定した場合には、ステップＳ３で設定情報２１０が変更されたと判定する。なぜなら、照明制御ユニット４の各々は、操作部４２Ａまたはスイッチ４２Ｂの操作によって設定情報２１０が変更されたことに応答して、変更後の設定情報２１０を制御ユニット２に送信するからである。従って、ステップＳ３を省略してもよい。
【０１０７】
なお、第１制御部２１は、ステップＳ１で受信された設定情報２１０と、第１記憶部２２に記憶されている最新の設定情報２１０とを比較して、設定情報２１０が変更されたか否かを判定してもよい。最新の設定情報２１０は、ステップＳ１で受信された設定情報２１０を送信した照明制御ユニット４が、過去に送信した設定情報２１０のうちの最新の設定情報２１０である。
【０１０８】
ステップＳ５において、第１制御部２１は、第１記憶部２２に記憶された連動データ８１（図４）が、連動有効データを含むか否かを判定する。
【０１０９】
ステップＳ５で連動データ８１が連動有効データを含まないと判定した場合、つまり、ステップＳ５で連動データ８１が連動無効データを含むと判定した場合は、処理はステップＳ１に戻る。
【０１１０】
一方、ステップＳ５で連動データ８１が連動有効データを含むと判定した場合は、処理はステップＳ７に進む。
【０１１１】
ステップＳ７において、第１制御部２１は、変更後の設定情報２１０に基づいて照明制御信号２２０を生成する。
【０１１２】
具体的には、図２および図３に示すように、変更後の設定情報２１０に基づいて、コマンド２２１および照明状態データ２２２を作成して、照明制御信号２２０を作成する。
【０１１３】
すなわち、第１制御部２１は、変更後の設定情報２１０に含まれる操作種別データ２１１に対応するコマンドをコマンド２２１に設定する。コマンド２２１は、変更後の設定情報２１０に含まれる操作種別データ２１１の示す操作種別に対応している。具体的には、第１制御部２１は、操作種別データ２１１が「調光操作」を示す場合は、コマンド２２１に「調光コマンド」を設定する。第１制御部２１は、操作種別データ２１１が「調色操作」を示す場合は、コマンド２２１に「調色コマンド」を設定する。第１制御部２１は、操作種別データ２１１が「オンオフ操作」を示す場合は、コマンド２２１に「オンオフコマンド」を設定する。
【０１１４】
加えて、第１制御部２１は、変更後の設定情報２１０の照明状態データ２１２の示す照明状態と同じ照明状態を、照明状態データ２２２に設定する。
【０１１５】
再び図１および図５を参照して、ステップＳ９において、第１制御部２１は、他の照明制御ユニット４に向けて照明制御信号２２０を送信するように、第１通信部２０を制御する。その結果、他の照明制御ユニット４は、照明制御信号２２０に従って、ステップＳ１で受信された設定情報２１０を送信した照明制御ユニット４に連動する。なお、他の照明制御ユニット４は、複数の照明制御ユニット４のうち、ステップＳ１で受信された設定情報２１０を送信した照明制御ユニット４以外の照明制御ユニット４を示す。また、ステップＳ１で受信された設定情報２１０を送信した照明制御ユニット４にも、照明制御信号２２０を送信してもよい。
【０１１６】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【０１１７】
本発明は、制御ユニット、照明制御装置、および照明システムに関するものであり、産業上の利用可能性を有する。
【符号の説明】
【０１１８】
２      制御ユニット
４、４Ａ、４Ｂ      照明制御ユニット
６      照明器具
２０      第１通信部（通信部）
２１      第１制御部（制御部）
２３      送受信部（受信部）
５０      照明制御装置
１００      照明システム
ＥＤ    外部機器
【図１】
2019192528.tif 000003
【図２】
2019192528.tif 000004
【図３】
2019192528.tif 000005
【図４】
2019192528.tif 000006
【図５】
2019192528.tif 000007